(57)【要約】【課題】  ロックネジの緩め操作や締付け操作を繰り返することなく、ロック端子に印加されている電圧を短時間で測定することが可能なロック端子電圧測定器を提供する。【解決手段】  一対のロック端子１１０における盤面１０１の表面側に位置する部位を覆うことが可能な筒状の絶縁カバー２と、絶縁カバー２のロック端子への装着時に一方のロック端子の導電性軸部１１１Ａと接触する第１の可動接触部３と、絶縁カバー２のロック端子への装着時に他方のロック端子の導電性軸部１１１Ｂと接触する第２の可動接触部４と、絶縁カバー２のロック端子への装着時に盤面１０１のアース部１１７と接触するアース接触部５と、一方が第１の可動接触部３と電気的に接続されるとともに、他方がアース接触部５と電気的に接続される第１の出力端子部６と、一方が第２の可動接触部４と電気的に接続されるとともに、他方がアース接触部５と電気的に接続される第２の出力端子部９とを備える。【選択図】  図１
2015053821.tif 000002
【特許請求の範囲】
【請求項１】
電気機器の盤面に配置される一対のロック端子に対して着脱自在なロック端子電圧測定器であって、
前記一対のロック端子における前記盤面の表面側に位置する部位を覆うことが可能な筒状の絶縁カバーと、
前記絶縁カバーの内面側に設けられ、前記絶縁カバーの前記ロック端子への装着時に前記一対のロック端子のうち一方のロック端子における端子締付け用のロックネジが螺合される導電性軸部と接触する第１の可動接触部と、
前記絶縁カバーの内面側に設けられ、前記絶縁カバーの前記ロック端子への装着時に前記一対のロック端子のうち他方のロック端子における端子締付け用のロックネジが螺合される導電性軸部と接触する第２の可動接触部と、
前記絶縁カバーの内面側に設けられ、前記絶縁カバーの前記ロック端子への装着時に前記盤面のアース部と接触するアース接触部と、
前記絶縁カバーの外面側に設けられ、一方が前記第１の可動接触部と電気的に接続されるとともに、他方が前記アース接触部と電気的に接続される第１の出力端子部と、
前記絶縁カバーの外面側に設けられ、一方が前記第２の可動接触部と電気的に接続されるとともに、他方が前記アース接触部と電気的に接続される第２の出力端子部と、
を備えたことを特徴とするロック端子電圧測定器。
【請求項２】
前記絶縁カバーには、前記第１の可動接触部と前記アース接触部との間に印加される電圧を測定する第１の電圧計と、前記第２の可動接触部と前記アース接触部との間に印加される電圧を測定する第２の電圧計とが設けられていることを特徴とする請求項１に記載のロック端子電圧測定器。
【請求項３】
前記絶縁カバーには、前記第１の可動接触部と前記アース接触部との間に印加される電圧により点灯する第１の表示灯と、前記第２の可動接触部と前記アース接触部との間に印加される電圧によって点灯する第２の表示灯とが設けられていることを特徴とする請求項１または２に記載のロック端子電圧測定器。
【発明の詳細な説明】
【技術分野】
【０００１】
この発明は、電気機器の盤面に配置される一対のロック端子に対して着脱自在なロック端子電圧測定器に関する。
【背景技術】
【０００２】
電気供給事業者の電気施設に設置される配電盤等におけるリレー使用操作は、配電盤等の盤面に配置される一対のロック端子に印加されている電圧の確認後に実施している。図７は、従来のロック端子を用いた電圧測定の手順を示している。図７に示すように、配電盤１００の盤面１０１には、一対のロック端子１１０が配置されている。各ロック端子１１０は、導電性軸部１１１Ａ、１１１Ｂをそれぞれ有しており、導電性軸部１１１Ａ、１１１Ｂには、リード線１３１、１３２を締付けるためのロックネジ１１３がそれぞれ螺合されている。
【０００３】
従来から、電力保護回路の遮断器をトリップロックして所定の作業を終了した後に、保護装置の健全性を確認するためロック端子の電圧をトリップロック用電圧計で測定する技術が知られている（例えば、特許文献１参照。）。この特許文献１では、１対のロック端子と試験用アース端子間との電圧測定をスイッチの切換え操作により実施している。
【先行技術文献】
【特許文献】
【０００４】
【特許文献１】特開２０１２−１５９４０３号公報
【発明の概要】
【発明が解決しようとする課題】
【０００５】
しかし、図７に示すように、ロック端子１１０を使用して電圧の確認を行う際には、その都度、ロックネジ１１３を緩める操作とロックネジ１１３を締付ける操作を繰り返し、電圧計の測定リード線１３１、１３２を付替えをしなければならず、多くの手間と時間を要するという問題がある。特許文献１も同様であり、その都度、アース端子側リード線の付替えが必要となる。また、特許文献１では、ロック端子の配置間隔が狭い個所や盤裏の狭隘な個所においては、電圧測定をスムーズに実施できず、スピーディーを必要とされる作業復旧に支障が出るという問題がある。
【０００６】
そこで本発明は、ロックネジの緩め操作や締付け操作を繰り返することなく、ロック端子に印加されている電圧を短時間で測定することが可能なロック端子電圧測定器を提供することを目的とする。
【課題を解決するための手段】
【０００７】
上記目的を達成するために請求項１に記載の発明は、電気機器の盤面に配置される一対のロック端子に対して着脱自在なロック端子電圧測定器であって、前記一対のロック端子における前記盤面の表面側に位置する部位を覆うことが可能な筒状の絶縁カバーと、前記絶縁カバーの内面側に設けられ、前記絶縁カバーの前記ロック端子への装着時に前記一対のロック端子のうち一方のロック端子における端子締付け用のロックネジが螺合される導電性軸部と接触する第１の可動接触部と、前記絶縁カバーの内面側に設けられ、前記絶縁カバーの前記ロック端子への装着時に前記一対のロック端子のうち他方のロック端子における端子締付け用のロックネジが螺合される導電性軸部と接触する第２の可動接触部と、前記絶縁カバーの内面側に設けられ、前記絶縁カバーの前記ロック端子への装着時に前記盤面のアース部と接触するアース接触部と、前記絶縁カバーの外面側に設けられ、一方が前記第１の可動接触部と電気的に接続されるとともに、他方が前記アース接触部と電気的に接続される第１の出力端子部と、前記絶縁カバーの外面側に設けられ、一方が前記第２の可動接触部と電気的に接続されるとともに、他方が前記アース接触部と電気的に接続される第２の出力端子部と、を備えたことを特徴とするロック端子電圧測定器である。
【０００８】
この発明によれば、筒状の絶縁カバーを一対のロック端子に装着した状態では、第１の可動接触部が一方のロック端子の導電性軸部と接触し、第２の可動接触部が他方のロック端子の導電性軸部と接触し、アース接触部が盤面のアース部と接触することになる。絶縁カバーの外面側に設けられる第１の出力端子部と第２の出力端子部は、第１の可動接触部と第２の可動接触部とアース部に接続されているので、絶縁カバーの外側からロック端子に印加される電圧の測定が可能となる。
【０００９】
請求項２に記載の発明は、請求項１に記載のロック端子電圧測定器において、前記絶縁カバーには、前記第１の可動接触部と前記アース接触部との間に印加される電圧を測定する第１の電圧計と、前記第２の可動接触部と前記アース接触部との間に印加される電圧を測定する第２の電圧計とが設けられていることを特徴としている。
【００１０】
請求項３に記載の発明は、請求項１または２に記載のロック端子電圧測定器において、前記絶縁カバーには、前記第１の可動接触部と前記アース接触部との間に印加される電圧により点灯する第１の表示灯と、前記第２の可動接触部と前記アース接触部との間に印加される電圧によって点灯する第２の表示灯とが設けられていることを特徴としている。
【発明の効果】
【００１１】
請求項１に記載の発明によれば、電気機器の盤面に配置される一対のロック端子に絶縁カバーを装着するのみで、絶縁カバーの外部からロック端子に印加される電圧の測定が可能となり、ロックネジの緩め操作や締付け操作を繰り返すことなく、短時間でロック端子の電圧測定が可能となる。また、ロック端子の配置間隔が狭い個所でも電圧測定をスムーズに実施でき、電圧測定作業が容易となる。さらに、ロック端子の配置間隔が狭い個所でも電圧測定をスムーズに実施できることから、電気機器の盤面の省スペース化を図ることが可能となり、作業スペースの確保に寄与することができる。さらに作業時には，電圧測定のみならず，絶縁カバーを装着することにより端子の養生が効率的に実施でき，また，試験機の接続も容易にでき，安全作業に寄与できる。
【００１２】
請求項２に記載の発明によれば、第１の可動接触部とアース接触部との間に印加される電圧を測定する第１の電圧計と、第２の可動接触部とアース接触部との間に印加される電圧を測定する第２の電圧計とが設けられるので、絶縁カバーを一対のロック端子に装着するだけで、直ちに電圧測定が可能となり、測定作業の能率を高めることができる。
【００１３】
請求項３に記載の発明によれば、絶縁カバーには、第１の可動接触部とアース接触部との間に印加される電圧により点灯する第１の表示灯と、第２の可動接触部とアース接触部との間に印加される電圧によって点灯する第２の表示灯とが設けられているので、絶縁カバーを一対のロック端子に装着するだけで、ロック端子に電圧が印加されているか否かをすぐに確認することが可能となる。
【図面の簡単な説明】
【００１４】
【図１】本発明の実施の形態に係わるロック端子電圧測定器の斜視図である。
【図２】図１のロック端子電圧測定器をロック端子に装着した状態を示す断面図である。
【図３】図１のロック端子電圧測定器をロック端子から離脱させた状態を示す断面図である。
【図４】図１のロック端子電圧測定器における可動接触部の拡大断面図である。
【図５】図１のロック端子電圧測定器が装着される一対のロック端子の断面図である。
【図６】図１のロック端子電圧測定器とロック端子との電気的接続を示す配線図である。
【図７】従来のロック端子によるリード線の接続作業を示す側面図である。
【発明を実施するための形態】
【００１５】
つぎに、この発明の実施の形態について、図面を用いて詳しく説明する。
【００１６】
図１ないし図６は、本発明の実施の形態を示しており、とくに電力供給事業者の施設に配置されている配電盤に適用した場合を示している。図２および図５に示すように、電力供給事業者の施設には配電盤１００等の電気機器が設置されており、配電盤１００の盤面１０１には、一対のロック端子１１０が配置されている。この実施の形態においては、一方のロック端子１１０と他方のロック端子１１０は、上下方向に隣接して配置されている。一対のロック端子１１０が配置される配電盤１００の盤面１０１は、例えば鋼板から構成されており、大地側にアース（接地）されている。
【００１７】
図５に示すように、各ロック端子１１０は、導電性軸部１１１Ａ、１１１Ｂをそれぞれ有しており、導電性軸部１１１Ａ、１１１Ｂには、ロックネジ１１３がそれぞれ螺合されている。導電性軸部１１１Ａ、１１１Ｂの軸方向のほぼ中央には、受け部１１４が形成されている。導電性軸部１１１Ａ、１１１Ｂの一端部には、絶縁体からなる頭部１１５が形成されている。ロックネジ１１３は、受け部１１４と頭部１１５との間に位置しており、軸心周りに回転させることにより導電性軸部１１１Ａ、１１１Ｂの軸方向に移動可能となっている。導電性軸部１１１Ａ、１１１Ｂの軸方向の他端部は、盤面１０１の裏面１０１ｂ側に位置しており、導電性軸部１１１Ａ、１１１Ｂの他端部には、電線を接続するためのナット１１６が螺合されている。
【００１８】
導電性軸部１１１Ａ、１１１Ｂは、絶縁保持部材１１２を介して盤面１０１に保持されている。この実施の形態においては、隣接して配置される一対のロック端子１１０のうち、上側のロック端子１１０は、絶縁保持部材１１２と盤面１０１との間に環状のアース部１１７が設けられている。アース部１１７は、導電部材から構成されており、盤面１０１に形成された穴の内面に嵌め込まれている。アース部１１７は、半田付けなどの接合手段により盤面１０１と電気的に接続されている。これにより、アース部１１７は、盤面１０１を介して大地側にアース（接地）されている。
【００１９】
つぎに、一対のロック端子１１０に対して着脱自在なロック端子電圧測定器１について説明する。図１に示すように、ロック端子電圧測定器１は、絶縁カバー２と、第１の可動接触部３と、第２の可動接触部４と、アース接触部５と、第１の出力端子部６と、第１の電圧計７と、第１の表示灯８と、第２の出力端子部９と、第２の電圧計１０と、第２の表示灯１１とを備えている。絶縁カバー２は、絶縁性を有する透明な樹脂から構成されている。絶縁カバー２は、中央部分が円筒状に形成されており、軸方向の一端側は計器等が取付けられる側壁２ｃに形成されている。絶縁カバー２は、軸方向の他端側は一対のロック端子１１０に進入可能な開口部２ｄに形成されている。図２に示すように、絶縁カバー２は、一対のロック端子１１０に向けて移動させることにより、一対のロック端子１１０における盤面１０１の表面１０１ａ側に位置する部位を覆うことが可能となっている。絶縁カバー２の内径は、一対のロック端子１１０に装着した際に、内面２ｂが双方のロックネジ１１３と干渉せず、かつ上下方向および左右方向に大きなガタツキが生じない程度に設定されている。
【００２０】
第１の可動接触部３は、絶縁カバー２の内面２ａ側に設けられている。第１の可動接触部３は、導電性の高い金属板から構成されており、への字型に形成されている。第１の可動接触部３は、絶縁カバー２の一対のロック端子１１０への装着時に、一対のロック端子１１０のうち上側のロック端子１１０におけるロックネジ１１３が螺合される導電性軸部１１１Ａの一部と接触するように構成されている。第１の可動接触部３は、絶縁カバー２の内面２ａ側に固定される固定部３ａと、固定部３ａに対して上下方向に弾性変形可能で導電性軸部１１１Ａの一部と接触可能な可動部３ｂを有している。
【００２１】
第２の可動接触部４は、絶縁カバー２の内面２ａ側に設けられており、第１の可動接触部３と対向する位置に配置されている。第２の可動接触部４は、導電性の高い金属板から構成されており、への字型に形成されている。第２の可動接触部４は、絶縁カバー２の一対のロック端子１１０への装着時に、一対のロック端子１１０のうち下側のロック端子１１０におけるロックネジ１１３が螺合される導電性軸部１１１Ｂの一部と接触するように構成されている。第２の可動接触部４は、絶縁カバー２の内面２ａ側に固定される固定部４ａと、固定部４ａに対して上下方向に弾性変形可能で導電性軸部１１１Ｂの一部と接触可能な可動部４ｂを有している。
【００２２】
図４は、第２の可動接触部４の詳細を示している。第２の可動接触部４の固定部４ａは、小ネジ４ｃを介して絶縁カバー２に固定されている。第２の可動接触部４の可動部４ｂの頂部の一部には、導電性軸部１１１Ｂとの接触面積を十分に確保するために凹部が形成されている。第２の可動接触部４の固定部４ａには、第１の出力端子部６等との接続に必要なリード線４ｄが接続されている。同様に、第１の可動接触部３の固定部３ａは、小ネジ（図示略）を介して絶縁カバー２に固定されている。図１に示すように、第１の可動接触部３の可動部３ｂの頂部の一部には、導電性軸部１１１Ａとの接触面積を十分に確保するために凹部が形成されている。
【００２３】
絶縁カバー２の内面２ｂにおける開口部２ｄ側には、アース接触部５が設けられている。アース接触部５は、導電性の高い薄板金属から構成されている。アース接触部５は、絶縁カバー２の内面２ｂに沿う円弧状に形成されている。アース接触部５は、絶縁カバー２の一対のロック端子１１０への装着時に、盤面１０１のアース部１１７と接触するようになっている。
【００２４】
第１の出力端子部６は、絶縁カバー２の側壁２ｃの外面側に設けられている。図６に示すように、第１の出力端子部６は、例えばプラス極とマイナス極を有しており、一方の極が第１の可動接触部３と電気的に接続されるとともに、他方の極がアース接触部１１７と電気的に接続されている。同様に、第２の出力端子部９は、絶縁カバー２の側壁２ｃの外面側に設けられている。図６に示すように、第２の出力端子部９は、例えばプラス極とマイナス極を有しており、一方の極が第２の可動接触部４と電気的に接続されるとともに、他方の極がアース接触部１１７と電気的に接続されている。
【００２５】
第１の電圧計７は、絶縁カバー２の側壁２ｃの外面側に設けられている。第１の電圧計７は、図６に示すように、第１の可動接触部３とアース接触部５との間に印加される電圧を測定する機能を有している。第２の電圧計１０は、絶縁カバー２の側壁２ｃの外面側に設けられている。第２の電圧計１０は、図６に示すように、第２の可動接触部４とアース接触部５との間に印加される電圧を測定する機能を有している。
【００２６】
第１の表示灯８は、絶縁カバー２の側壁２ｃの外面側に設けられている。第１の表示灯８は、図６に示すように、第１の可動接触部３とアース接触部５との間に印加される電圧により点灯する機能を有している。第２の表示灯１１は、絶縁カバー２の側壁２ｃの外面側に設けられている。第２の表示灯１１は、図６に示すように、第２の可動接触部４とアース接触部５との間に印加される電圧により点灯する機能を有している。この実施の形態においては、第１の表示灯８と第２の表示灯１１は、ＬＥＤ（発光ダイオード）から構成されている。
【００２７】
図６は、遮断器１２１を有する電力保護回路１２０におけるトリップロック端子の電圧測定の回路を示しており、ロック端子電圧測定器１の絶縁カバー２によって一対のロック端子１１０を覆うことにより、一対のロック端子１１０に印加されている電圧の測定が可能となる。
【００２８】
つぎに、ロック端子電圧測定器１の操作手順および作用について説明する。
【００２９】
ロック端子電圧測定器１を一対のロック端子１１０に装着する際は、図５に示すように、予め各ロックネジ１１３を軸心周りに回転させ、ロックネジ１１３と頭部１１５との間隔を広げておく。つぎに、図１の矢印に示すように、ロック端子電圧測定器１を一対のロック端子１１０に向けて移動させ、絶縁カバー２の開口部２ｄ側の端面を盤面１０１の表面１０１ａに押し付ける。これにより、一対のロック端子１１０は絶縁カバー２で覆われる。
【００３０】
図２は、一対のロック端子１１０は絶縁カバー２で覆った状態を示している。この状態では、第１の可動接触部３が一方の導電性軸部１１１Ａに接触するとともに、第２の可動接触部２が他方の導電性軸部１１１Ｂに接触し、アース接触部５は盤面１０１側のアース部１１７と接触する。ここで、第１の可動接触部３が一方の導電性軸部１１１Ａに接触する直前には、第１の可動接触部３が絶縁体である頭部１１５と接触することになり、可動部３ｂが外方へ弾性変形する。そして、可動部４ｂが頭部１１５と接触を完了することで、可動部３ｂは内方に弾性変形し、可動部３ｂが導電性軸部１１１Ａに接触することになる。第２の可動接触部４の動きも同様であり、第２の可動接触部４が他方の導電性軸部１１１Ｂに接触する直前には、第２の可動接触部４が絶縁体である頭部１１５と接触することになり、可動部４ｂが外方へ弾性変形する。そして、可動部４ｂが頭部１１５と接触を完了することで、可動部４ｂは内方に弾性変形し、可動部４ｂが導電性軸部１１１Ｂに接触することになる。
【００３１】
この実施の形態においては、ロック端子電圧測定器１には、電圧計７、１０と表示灯８、１１を有しているので、一対のロック端子１１０に印加されている電圧を電圧計７、１０と表示灯８、１１で確認することが可能となるが、第１の出力端子部６と第２の出力端子部９に別の電圧計（図示略）をそれぞれ接続することで、一対のロック端子１１０に印加されている電圧を測定することも可能となる。すなわち、この実施の形態においては、少なくとも第１の出力端子部６と第２の出力端子部９があれば、別の電圧計を用いて一対のロック端子１１０に印加されている電圧を測定することが可能であり、電圧計７、１０と表示灯８、１１を省略した構成とすることも可能である。
【００３２】
ロック端子電圧測定器１による一対のロック端子１１０に印加されている電圧を測定が完了すると、ロック端子電圧測定器１は盤面１０１から遠ざかる方向に移動され、ロック端子電圧測定器１は、図３に示すように、一対のロック端子１１０から離脱された状態となる。
【００３３】
このように、本発明では、電気機器である配電盤１００の盤面１０１に隣接して配置される一対のロック端子１１０に絶縁カバー２を装着するのみで、絶縁カバー２の外部からロック端子１１０に印加される電圧の測定が可能となり、ロックネジ１１３の緩め操作や締付け操作を繰り返すことなく、短時間でロック端子１１０の電圧測定が可能となる。また、ロック端子１１０の配置間隔が狭い個所でも電圧測定をスムーズに実施でき、電圧測定作業が容易となる。さらに、ロック端子１１０の配置間隔が狭い個所でも電圧測定をスムーズに実施できることから、配電盤１００等の電気機器の盤面１０１の省スペース化を図ることが可能となり、作業スペースの確保に寄与することができる。
【００３４】
また、第１の可動接触部３とアース接触部５との間に印加される電圧を測定する第１の電圧計７と、第２の可動接触部４とアース接触部５との間に印加される電圧を測定する第２の電圧計１０とが設けられるので、絶縁カバー２を一対のロック端子１１０に装着するだけで、直ちにロック端子１１０に印加されている電圧の測定が可能となり、さらに測定作業の能率を高めることができる。さらに、絶縁カバー２には、第１の可動接触部３とアース接触部５との間に印加される電圧により点灯する第１の表示灯８と、第２の可動接触部４とアース接触部５との間に印加される電圧によって点灯する第２の表示灯１１とが設けられているので、絶縁カバー２を一対のロック端子１１０に装着するだけで、ロック端子１１０に電圧が印加されているか否かをすぐに確認することができる。
【００３５】
また、電圧測定時は、一対のロック端子１１０は絶縁カバー２によって覆われるので、ロック端子１１０の通電部が露出することがなくなり、従来の作業に比べて電圧測定作業における絶縁養生が容易となる。さらに、ロック端子電圧測定器１を一対のロック端子１１０に対して常設することで、図６に示す電力保護回路１２０の電圧をリアルタイムで把握することが可能となる。
【００３６】
以上、この発明の実施の形態を詳述してきたが、具体的な構成は上記の実施の形態に限られるものではなく、この発明の要旨を逸脱しない範囲の設計の変更等があっても、この発明に含まれる。例えば、この実施の形態においては、絶縁カバー２には、電圧計７、１０や表示灯８、１１を設けるようにしているが、これらを省略し、別の電圧計が接続可能な第１の出力端子部６と第２の出力端子部９を利用して電圧を測定する構成としてもよい。また、この実施の形態においては、アース接触部５を円弧状に形成したが、アース接触部５を絶縁カバー２の内面２ｂの全周にわたって延びるように形成し、第１の可動接触部３の形状と第２の可動接触部４の形状を上下方向で対称とすれば、絶縁カバー２を上下方向で逆転させて使用することも可能となる。さらに、この実施の形態においては、遮断器１２１を有する電力保護回路１２０におけるトリップロック端子の電圧測定に適用した場合を説明したが、他の用途に適用可能であることは勿論である。
【符号の説明】
【００３７】
１                ロック端子電圧測定器
２                絶縁カバー
３                第１の可動接触部
４                第２の可動接触部
５                アース接触部
６                第１の出力端子部
７                第１の電圧計
８                第１の表示灯
９                第２の出力端子部
１０              第２の電圧計
１１              第２の表示灯
１００            配電盤（電気機器）
１０１            盤面
１１０            ロック端子
１１１Ａ          導電性軸部
１１１Ｂ          導電性軸部
１１３            ロックネジ
【図１】
2015053821.tif 000003
【図２】
2015053821.tif 000004
【図３】
2015053821.tif 000005
【図４】
2015053821.tif 000006
【図５】
2015053821.tif 000007
【図６】
2015053821.tif 000008
【図７】
2015053821.tif 000009